(57)【要約】【課題】  従来の尿パッドは、着用性が悪くて違和感が大きく、着用中に陰茎部分から外れやすい欠点がある。【解決手段】  本発明の尿吸収パッド１０は、表面部１１ａおよび裏面部１１ｂを有する矩形のカバーシート１１と、このカバーシート１１の裏面部１１ｂ側に設けられ、尿を吸収してこれを保持する吸収体１４と、中央部がカバーシート１１の裏面部１１ｂ側に接合され、両端部が相互に重なり合うように男性器の陰茎部分に巻き付けられるつなぎ止めテープ１６と、このつなぎ止めテープ１６の両端部に設けられて当該つなぎ止めテープ１６の相互に重なり合う部分を剥離可能に接合する一対の接合部１７ａ，１７ｂと、男性器の陰茎部分に当接するようにつなぎ止めテープ１６に形成され、このつなぎ止めテープ１６の厚み方向に圧縮可能な弾性変形層１８とを具えている。【選択図】  図２
2006122346.tif 000002
【特許請求の範囲】
【請求項１】
表面部および裏面部を有する矩形のカバーシートと、
このカバーシートの裏面部側に設けられ、尿を吸収してこれを保持する吸収体と、
中央部が前記カバーシートの裏面部側に接合され、両端部が相互に重なり合うように男性器の陰茎部分に巻き付けられるつなぎ止めテープと、
このつなぎ止めテープの両端部に設けられて当該つなぎ止めテープの相互に重なり合う部分を剥離可能に接合する一対の接合部と、
男性器の陰茎部分に当接するように前記つなぎ止めテープに形成され、前記つなぎ止めテープの厚み方向に圧縮可能な弾性変形層と
を具えたことを特徴とする尿吸収パッド。
【請求項２】
前記カバーシートの左右両側端縁部に沿って伸長状態で接合され、これによって前記カバーシートの左右両側端縁部にギャザーを形成する一対の弾性部材をさらに具えたことを特徴とする請求項１に記載の尿吸収パッド。
【請求項３】
前記吸収体を挟むように前記カバーシートの裏面部に接合される液透過性のスキンコンタクトシートをさらに具えたことを特徴とする請求項１または請求項２に記載の尿吸収パッド。
【請求項４】
前記つなぎ止めテープは、その長手方向に沿って伸張可能な弾性体にて形成され、前記弾性変形層はこのつなぎ止めテープの伸張に伴って弾性変形可能であることを特徴とする請求項１から請求項３の何れかに記載の尿吸収パッド。
【請求項５】
前記カバーシートの表面部に設けられ、着用する下ばきの内側に尿吸収パッドを剥離可能に接合するためのずれ止め粘着部をさらに具えたことを特徴とする請求項１から請求項４の何れかに記載の尿吸収パッド。
【発明の詳細な説明】
【技術分野】
【０００１】
本発明は、比較的少量の尿を保持し得るコンパクトでかさばらない男性用の尿吸収パッドに関する。
【０００２】
なお、本明細書において記述される尿を吸収してこれを保持するための「吸収体」とは、フラッフ状パルプや高吸水性樹脂（ＳＡＰ:Super Absorbent Polymer）のみならず、これらを所望の形状に維持するためのティシュやシートなどを含めたものも意図している。
【背景技術】
【０００３】
重度の寝たきりで排尿ケアを必要とする人の多くは、夜間の排尿量が多い時間帯において、展開型の使い捨ておむつと尿パッドとを組み合わせて使用している。この場合、尿パッドが尿の吸収の主体として機能し、展開型おむつはおむつカバーのような補助的役割として用いられている。男性の場合、陰茎部が動いて尿パッドから尿が漏れることがあるため、特許文献１に開示されているような陰茎部に巻き付ける形式の尿パッドも知られている。一方、社会的ストレスなどに起因した夜尿症の悩みを持つ壮年期（３０代）の男性の存在も知られるようになってきている。このような介護の必要がない男性の場合、１人で着脱可能なパンツ型使い捨ておむつや比較的少量の尿を保持し得る尿パッドなどを使用することが可能である。
【０００４】
上述したような目的で用いられる従来の使い捨ておむつや尿パッドなどの吸収体製品は、液不透過性のカバーシートと液透過性のスキンコンタクトシートとの間に尿を吸収保持するための吸収体を介在させた構造を一般的に有する。液不透過性のカバーシートは、尿の漏れを防ぐために吸収体をカバーする機能を有するが、透湿性を持たせるために微小な通気孔を形成したポリエチレンフィルムなどが用いられる。また、吸収体は主にフラッフ状パルプと高吸水性樹脂（以下、ＳＡＰと記述する）とを混合してマット状にしたものをティシュなどの被覆材で包んで構成されている。
【０００５】
【特許文献１】特開平８−２８０７２７号公報
【発明の開示】
【発明が解決しようとする課題】
【０００６】
男性用の尿パッドの場合、着用中の陰茎部分の動きに尿パッドを追従させる必要があるが、従来のものはこの点に関して不十分であり、着用中に陰茎部分が尿パッドから外れて尿が尿パッド外に漏れてしまうことがしばしばあった。
【０００７】
また、特許文献１に開示されたものでは、かさばる尿パッドを折り畳んで陰茎部分に巻き付けるようにしているため、股間部が異常に膨らんでしまって日常的な歩行動作に支障を来す上、違和感が大きくて着用感を著しく損なう欠点があった。
【０００８】
本発明の目的は、陰茎部分に対する適正な装着状態を従来のものよりも確実に維持し得ると共に着用感が良好な尿パッドを提供することにある。
【課題を解決するための手段】
【０００９】
本発明の第１の形態は、表面部および裏面部を有する矩形のカバーシートと、このカバーシートの裏面部側に設けられ、尿を吸収してこれを保持する吸収体と、中央部が前記カバーシートの裏面部側に接合され、両端部が相互に重なり合うように男性器の陰茎部分に巻き付けられるつなぎ止めテープと、このつなぎ止めテープの両端部に設けられて当該つなぎ止めテープの相互に重なり合う部分を剥離可能に接合する一対の接合部と、男性器の陰茎部分に当接するように前記つなぎ止めテープに形成され、前記つなぎ止めテープの厚み方向に圧縮可能な弾性変形層とを具えたことを特徴とする尿吸収パッドにある。
【００１０】
本発明においては、尿吸収パッドの裏面部が男性器の陰茎部分に当接するように重ね、この状態にてつなぎ止めテープの左右の自由端を巻き付けて相互に重ね合わせ、一対の接合部にてこれらを連結する。つなぎ止めテープと男性器の陰茎部分との間には、弾性変形層が圧縮状態で保持され、これによって尿吸収パッドが陰茎部分に保持された状態となる。尿は、尿吸収パッドの裏面部に設けられた吸収体によって吸収保持される。
【００１１】
本発明による尿吸収パッドにおいて、カバーシートの裏面部に液透過性のスキンコンタクトシートを接合し、このスキンコンタクトシートとカバーシートとで吸収体を挟んだ状態で保持することができる。
【００１２】
この場合、カバーシートとして不織布，合成樹脂フィルム，またはこれらを重ね合わせた積層シートを用いることができる。ここで採用し得る不織布として、例えばポリエチレン，ポリプロピレン，ポリエステル，その他の熱可塑性樹脂を原料とする合成繊維からなるものを挙げることができる。また、合成樹脂フィルムとして、例えばポリエチレンシート、特に微孔を形成したポリエチレンシートや、熱可塑性樹脂にフィラーを加えて延伸することにより、透湿性を持たせた液体不透過性のものが好ましい。このような液体不透過性の合成樹脂フィルムを採用した場合、着用中のむれを抑制することができるため、より快適な着用感を得られる。このカバーシートは、尿吸収パッドの使用形態に応じて液透過性のみならず、液不透過性のものを採用することも当然可能であり、この場合には不織布を単独で用いることが好ましい。
【００１３】
また、スキンコンタクトシートは親水性または疎水性の何れでもかまわないが、親水性を有する場合、汗などに対する着用性の向上を期待できる反面、尿などもスキンコンタクトシートに滲み込んでしまうので、どちらかと言えば疎水性であることが好ましいと言えよう。このスキンコンタクトシートとしては、ポリエチレン，ポリプロピレン，ポリエステル，その他の熱可塑性樹脂を原料とした合成繊維からなる不織布やメッシュシートまたはフィルムを採用することができる。不織布を採用する場合、カード不織布，スパンボンド不織布，このスパンボンド(Ｓ)不織布とメルトブロー(Ｍ)不織布とをＳＭＳ，ＳＭＭＳ，ＳＭＭＭＳという具合にそれぞれ積層した不織布などが好適である。
【００１４】
上述した吸収体は、通常の使いすておむつのような吸収性物品に使用されるものであれば何れも使用可能であるが、ＳＡＰ含有率が高く、薄い吸収体であることが好ましい。すなわち、綿状パルプとＳＡＰとを併用したものや、さらに熱融着繊維を加えたものなどを用いることができ、全体をティシュのような親水性シートで包んだものが好ましい。この他に、親水性シートの片面にＳＡＰの層を形成したものや、２枚の親水性シートの間にＳＡＰを挟持したものなど、シート状の吸収体を使用することも可能である。
【００１５】
本発明の第１の形態による尿吸収パッドにおいて、一対の弾性部材をカバーシートの左右両側端縁部に沿って伸長状態で接合し、これによってカバーシートの左右両側端縁部にギャザーを形成することができる。この弾性部材としては、天然ゴム製の平ゴムやウレタン糸，糸ゴムなどの伸縮可能な弾性部材が用いられ、ホットメルト接着剤などを用いてカバーシートに接着固定することができる。
【００１６】
つなぎ止めテープをその長手方向に沿って伸張可能な弾性体にて形成し、弾性変形層をこのつなぎ止めテープの伸張に伴って弾性変形可能とすることができる。このつなぎ止めテープとして、伸縮性および肌触りなどの観点から短冊状の発泡体シート、例えばウレタンフォームを用いることができる。このウレタンフォームを使用した場合、陰茎部の表皮との間の摩擦が大きいため、脱落を防ぐために好都合であるが、摩擦が大きい故に肌が敏感な着用者に違和感を与えるため、その緩和のために表面に不織布を貼ってもよい。この他、天然系または合成系のウレタン糸，糸ゴム，平ゴムなどの通常の使いすておむつに使用される伸縮弾性部材を不織布間に伸長状態で固定したものや、ホットメルト接着剤などにより接着固定された伸縮性シート、あるいは伸縮フィルムを伸張可能な不織布で挟んだもの、伸縮ネットを伸張可能なネットで挟んだものをつなぎ止めテープとして用いることができる。
【００１７】
着用する下ばきの内側に尿吸収パッドを剥離可能に接合するためのずれ止め粘着部をカバーシートの表面部に設けることができる。
【発明の効果】
【００１８】
本発明の尿吸収パッドによると、尿を吸収してこれを保持する吸収体をカバーシートの裏面部側に設け、両端部が相互に重なり合うように男性器の陰茎部分に巻き付けられるつなぎ止めテープの中央部をカバーシートの裏面部側に接合し、このつなぎ止めテープの両端部につなぎ止めテープの相互に重なり合う部分を剥離可能に接合する一対の接合部を設け、男性器の陰茎部分に当接してつなぎ止めテープの厚み方向に圧縮可能な弾性変形層をつなぎ止めテープに設けたので、尿吸収パッドがかさばらず、つなぎ止めテープによって尿吸収パッドを陰茎部分に確実につなぎ止めることが可能となり、しかも陰茎部分に対してつなぎ止めテープをソフトな接触状態にすることができ、着用感を損なうことなく陰茎部分に対する尿吸収パッドの位置ずれを防止することができる。
【００１９】
カバーシートの左右両側端縁部に沿って伸長状態で一対の弾性部材を接合し、これによってカバーシートの左右両側端縁部にギャザーを形成した場合、尿吸収パッドを男性器の陰茎部分に沿って自然に湾曲させることができ、尿の漏れを抑制することができる。
【００２０】
吸収体を挟むようにカバーシートの裏面部に液透過性のスキンコンタクトシートを接合した場合、肌触りの悪い吸収体をスキンコンタクトシートにて覆うことができ、着用感を向上させることができる。
【００２１】
つなぎ止めテープをその長手方向に沿って伸張可能な弾性体にて形成し、このつなぎ止めテープの伸張に伴って弾性変形層を弾性変形可能とした場合、陰茎部分に対する締め付け力を容易に調整することが可能となり、経時的に状態が変化しやすい陰茎部分に対する第１および第２のつなぎ止めテープの継続的な連結をより確実に維持し得る。
【００２２】
着用する下ばきの内側に尿吸収パッドを剥離可能に接合するためのずれ止め粘着部をカバーシートの表面部に設けた場合、下ばきによって尿パッドをより確実に保持することができるため、尿パッドのずれを防止して着用性をさらに向上させることができる。
【発明を実施するための最良の形態】
【００２３】
本発明による収尿袋の実施形態について、図１〜図３を参照しながら詳細に説明するが、本発明はこれらの実施形態のみに限らず、これらをさらに組み合わせたり、この明細書の特許請求の範囲に記載された本発明の概念に包含されるあらゆる変更や修正が可能であり、従って本発明の技術思想に帰属する他の任意の技術にも当然応用することができる。
【００２４】
本実施形態による尿吸収パッドの外観を図１に示し、その反対側の展開状態を一部破断して図２に示し、そのIII−III矢視断面構造を図３に示す。すなわち、本実施形態における尿吸収パッド１０は、表面部１１ａおよび裏面部１１ｂを有する矩形の縦長のカバーシート１１と、このカバーシート１１の左右両側端縁部に沿って伸長状態で接合され、これによってカバーシート１１の左右両側部にギャザー１２を形成する一対の弾性部材１３と、カバーシート１１の裏面部１１ｂ側に設けられ、尿を吸収してこれを保持する吸収体１４と、この吸収体１４および一対の弾性部材１３を挟むようにカバーシート１１の裏面部１１ｂに接合される液透過性のスキンコンタクトシート１５と、中央部がカバーシート１１の裏面部１１ｂ側に接合され、両端部が相互に重なり合うように図３中、二点鎖線で示す男性器の陰茎部分に巻き付けられるつなぎ止めテープ１６と、このつなぎ止めテープ１６の両端部に設けられて当該つなぎ止めテープ１６の相互に重なり合う部分を剥離可能に接合する一対の接合部１７ａ，１７ｂと、男性器の陰茎部分に当接するようにつなぎ止めテープ１６に形成され、つなぎ止めテープ１６の厚み方向に圧縮可能な弾性変形層１８と、カバーシート１１の表面部１１ａに設けられ、着用するブリーフやおむつなどの下ばきの内側に尿吸収パッド１０を剥離可能に接合するためのずれ止め粘着部１９とを具えている。
【００２５】
可撓性を有するカバーシート１１は、上述したように着用時に外側、つまりブリーフやおむつなどの下ばき側に面する表面部１１ａと、内側、つまり着用者側に面する裏面部１１ｂとを有し、このカバーシート１１と、その裏面部１１ｂに接合される液透過性のスキンコンタクトシート１５との間に一対の弾性部材１３および吸収体１４を挟み込んでこれらが一体化されている。このように、男性器が肌触りの悪い吸収体１４や弾性部材１３に直接触れないようにスキンコンタクトシート１５をカバーシート１１の裏面部１１ｂに接合することで、その着用感を向上させることができる。カバーシート１１は、この尿吸収パッド１０の使用形態に応じて液不透過性または液透過性であってよく、本実施形態では介護用のおむつの補助としてその内側に装着することを意図しているため、液透過性のものを採用している。また、液不透過性のカバーシート１１を採用する場合、着用状態におけるむれを防止するため、カバーシート１１に透湿性、つまり通気性を持たせることが望ましい。
【００２６】
本実施形態における吸収体１４は、５０〜９５重量％のＳＡＰを含むシート状をなしており、不織布、好ましくは嵩高性と通気性とを有する不織布からなるベースシート２０の表面にカーテンコートの如きラインコーティング技術を適用し、ベースシート２０の長手方向に沿って相互に平行な帯状の高吸収層２１を塗布することにより形成されている。このような吸収体１４は、従来のパルプとＳＡＰとの混合吸収体に対して約１／３以下の厚さ、具体的には最大でも２mm、一般的には１mm以下の厚さにすることができる。これら高吸収層２１には、ＳＡＰが好ましくは８０〜９０％の割合で含まれる。このようなシート状をなす吸収体１４は、ベースシート２０のみの部分と高吸収層２１を形成した部分とが存在するため、尿の拡散性が良好であり、しかも従来のようなパルプとＳＡＰとの混合吸収体では得られない薄型または超薄型にすることができ、着用時のかさばりを最小限に抑えて快適な着用感を得ることができる。このため、外から着用状態を認識されるような不具合を回避することも可能である。
【００２７】
柔軟なリボン状をなす本実施形態におけるつなぎ止めテープ１６は、その長手方向に沿って伸張可能な弾性体にて形成され、陰茎基部を一巻きできる程度の長さを有している。このつなぎ止めテープ１６の左右の自由端に形成される一対の接合部１７ａ，１７ｂは、一方が表面側に形成されると共に他方が裏面側に形成された面ファスナにて構成されている。つなぎ止めテープ１６の裏面側には、このつなぎ止めテープ１６の厚み方向に圧縮可能な弾性変形層１８が接合部１７ｂを除いて形成され、つなぎ止めテープ１６が男性器に直接当接しないように配慮している。つなぎ止めテープ１６よりも高い表面摩擦を持った連続発泡樹脂などで形成される弾性変形層１８は、つなぎ止めテープ１６の伸張に伴ってその長手方向に沿って弾性変形可能であり、本実施形態ではその表面を平坦に仕上げているが、波形などの凹凸を形成して陰茎表皮に対するすべり止め効果を持たせることが有効であり、その厚みをつなぎ止めテープ１６の長手方向に沿って変化させることも可能である。
【００２８】
この尿吸収パッド１０を使用する場合、まず尿吸収パッド１０の裏面部１１ｂを男性器の陰茎部に重ね、この状態にてつなぎ止めテープ１６の一方の自由端を引っ張りながら陰茎基部に巻き付けると同時に他方の自由端を引っ張りながら陰茎基部に巻き付けてその裏面部１１ｂの接合部１７ｂを一方の自由端の表面部１１ａの接合部１７ａに重ね合わせて接合することにより、陰茎基部に対してつなぎ止めテープ１６が弾性変形層１８の弾性変形を伴って巻き付けられ、尿吸収パッド１０のつなぎ止めテープ１６から陰茎の抜け外れが阻止された状態となる。尿吸収パッド１０の左右両側に形成されたギャザー１２は、陰茎部を包むように尿吸収パッド１０の変形を促すため、陰茎部に対する尿吸収パッド１０の相対的位置を規制し、着用感の向上と相俟って尿漏れの可能性をより少なくする。さらに、この状態にてブリーフやおむつなどの下ばきを着用し、尿吸収パッド１０の表面部１１ａの中央部分に設けられたずれ止め粘着部１９を下ばきの内面に接合することにより、下ばきと尿吸収パッド１０との位置ずれが確実に阻止される。
【００２９】
このように、つなぎ止めテープ１６を伸長状態で男性器の陰茎基部に巻き付けることにより、尿吸収パッド１０を確実に男性器に連結することが可能であり、しかも着用するブリーフやおむつなどの下ばきの内側に尿吸収パッド１０を剥離可能に接合するためのずれ止め粘着部１９をカバーシート１１の表面部１１ａの中央部分に設けているため、これによって着用中のブリーフやおむつなどに対する尿吸収パッド１０の位置ずれをより確実に防止することが可能となる。例えば、着用者が自転車などに乗って股関節を激しく動かすような運動を行っても、尿吸収パッド１０から陰茎部が外れるのを防止することができる。
【図面の簡単な説明】
【００３０】
【図１】本発明による尿吸収パッドの一実施形態における表面側の外観を表す立体投影図である。
【図２】図１に示した尿吸収パッドの裏面側の展開破断図である。
【図３】図２中のIII−III矢視断面図である。
【符号の説明】
【００３１】
１０  尿吸収パッド
１１ａ  表面部
１１ｂ  裏面部
１１  カバーシート
１２  ギャザー
１３  弾性部材
１４  吸収体
１５  スキンコンタクトシート
１６  つなぎ止めテープ
１７ａ，１７ｂ  接合部
１８  弾性変形層
１９  ずれ止め粘着部
２０  ベースシート
２１  高吸収層
【図１】
2006122346.tif 000003
【図２】
2006122346.tif 000004
【図３】
2006122346.tif 000005